(57)【特許請求の範囲】
【請求項１】
シート縁部(2a,2b)を有する１枚の合成樹脂フィルムから成る矩形状の本体シート(1)を４辺に沿って平行に折曲した折曲偏平体(9)により形成された偏平状の容器本体(15)を展開して成る立体容器(15a)であり、
前記本体シート(1)は、各縁部(2a,2b)の内側に帯状壁(5)を介して平行に延びる山折線(3a,3b)に沿って山折され、該山折線の内側に襠壁(6)を介して平行に延びる谷折線(4a,4b)に沿って谷折りされ、前記谷折線(4a,4b)により囲まれた中央部の底壁(7)を備えると共に、該本体シートのコーナに位置する帯状壁(5)の両端部において相互に交差する前記谷折線(4a)(4b)と相互に隣り合う縁部(2a)(2b)により囲まれたコーナ部(8)を備え、
前記コーナ部(8)の両側に位置して、それぞれ折重ねられた襠壁(6)と帯状壁(5)とシート縁部(2a,2b)により、折重ね状に折込まれたシート縁部(2a,2b)に沿って、前記帯状壁(5)に対応する上側縁部(10a,10b)と前記襠壁(6)に対応する中間縁部(11a,11b)と前記シート縁部(2a,2b)に対応する下側縁部(12a,12b)を備えたギャザー部(13a,13b)を構成すると共に、該ギャザー部(13a,13b)をサンドイッチ状に固着した固着部(14)を設けており、
前記固着部(14)以外の部分における襠壁(6)と帯状壁(5)を前記底壁(7)と共に下方に展開した立体容器(15a)を構成して成ることを特徴とする容器。
【請求項２】
前記容器本体(15)は、合成樹脂フィルムから成る蓋シート(17)を重ね合わせると共に、前記蓋シート(17)を前記容器本体(15)のシート縁部(2a,2b)に沿って溶着した溶着シール部(18)を形成した密閉容器(15b)を構成しており、
前記溶着シール部(18)により、前記サンドイッチ状の固着部(14)を構成して成ることを特徴とする請求項１に記載の容器。
【請求項３】
前記容器本体(15)は、合成樹脂フィルムから成る蓋シート(17)を重ね合わせると共に、前記蓋シート(17)を前記容器本体(15)のシート縁部(2a,2b)に対して、該シート縁部に形成された注入口(22)を除いて、該シート縁部に沿って溶着した溶着シール部(18a)により、前記サンドイッチ状の固着部(14)を形成しており、
前記注入口(22)から充填された収容物により前記襠壁(6)と帯状壁(5)を展開させた立体容器(15a)を構成すると共に、該立体容器(15a)は、前記注入口(22)を溶着(18b)された密閉容器(15b)を構成して成ることを特徴とする請求項１に記載の容器。
【請求項４】
前記蓋シート(17)は、下層シート(23)と上層シート(24)を有する複数層シートのラミネートシートから構成され、
下層シート(23)は、容器本体(15a)のシート縁部(2a,2b)の内側に位置する環状破断部(25)を備え、
上層シート(24)は、前記環状破断部(25)の内側に位置して下層シート(23)に剥離不能に固着された強着部(26a)と、前記環状破断部(25)の外側に位置して下層シート(23)に剥離可能に固着された弱着部(26b)を備えており、
前記弱着部(26b)を介して上層シート(24)を下層シート(23)から剥離したとき、環状破断部(25)の破断を介して下層シート(23)の中央部が上層シート(24)に追従させられ、該下層シート(23)の中央部に開口部を形成可能とするように構成して成ることを特徴とする請求項２又は３に記載の容器。
【発明の詳細な説明】
【技術分野】
【０００１】
本発明は、１枚の合成樹脂フィルムから成るシートを折曲することにより形成された容器本体を備える容器に関する。
【背景技術】
【０００２】
従来、食料品等の内容物を包装する容器として種々の形態の容器が提供されているが、例えば、合成樹脂フィルムから成るシートにより形成される容器は、製袋機により袋として製袋されるのが一般的である。
【０００３】
このような袋は、通常、２枚のシートを袋の側縁の部分で溶着シールし、溶着線に沿ってシートを溶断することにより製袋されるため、溶着不良による欠陥シールが生じやすく、その場合、不良品として廃棄しなければならない。しかも、このような袋は、偏平袋であるため、容積が小さく、十分な量の内容物を充填するための容器には適していない。
【０００４】
そこで、必要な容量を確保するため、袋底部を立体的に保持するスタンディングパウチが提供されている。しかしながら、立体的に展開したとき袋底部の溶着シール個所に応力が集中するので、シール性の確保のために厚いシート素材を使用する必要があり、高コストを招来する。
【０００５】
ところで、合成樹脂シートを折曲することにより形成されたトレー状の容器が提案されている。しかしながら、トレーを形成するシート素材を予め所定形状に裁断する必要があるため、コストに問題がある。しかも、折曲されたシートをトレー状に立体化して保持した状態で、所定個所を溶着するため、複雑な機械設備を必要とする問題があり、量産に不向きであり、コスト面にも問題がある。
【先行技術文献】
【特許文献】
【０００６】
【特許文献１】特開２００５−２９１７７号公報
【特許文献２】特開２０１０−２６０６２１号公報
【特許文献３】特開２０１０−１８９０３１号公報
【発明の概要】
【発明が解決しようとする課題】
【０００７】
本発明は、１枚の合成樹脂フィルムから成るシートを複雑な形状に裁断する必要がなく、例えば、正方形や長方形のような矩形のままから折曲することにより形成できる容器の提供を課題とする。
【０００８】
折曲されたシートにより容器を形成するためには、シートの所要部分を溶着等により固着する必要がある。この点に関して、本発明は、溶着シールを容易に行うことができるようにするため、シートの折曲により形成された折曲偏平体を偏平状態のままで溶着可能とすることを課題とする。
【０００９】
容器に充填される内容物が液体やゲル状物のような流動体の場合、万一、溶着不良個所が発生すると、内容物を漏出する危険がある。このため、本発明は、内容物を収容する部位から可及的に離れた部位に溶着個所を設けることを課題とする。
【００１０】
更に、使用済みの容器を廃棄する際には、できるだけ体積を小さくすることが可能となるように構成することを課題とする。
【課題を解決するための手段】
【００１１】
そこで、本発明が上記課題を解決するための手段として構成したところは、シート縁部を有する１枚の合成樹脂フィルムから成る矩形状の本体シートを４辺に沿って平行に折曲した折曲偏平体により形成された偏平状の容器本体を展開して成る立体容器であり、前記本体シートは、各縁部の内側に帯状壁介して平行に延びる山折線に沿って山折され、該山折線の内側に襠壁を介して平行に延びる谷折線に沿って谷折りされ、前記谷折線により囲まれた中央部の底壁を備えると共に、該本体シートのコーナに位置する帯状壁の両端部において相互に交差する前記谷折線と相互に隣り合う縁部により囲まれたコーナ部を備え、前記コーナ部の両側に位置して、それぞれ折重ねられた襠壁と帯状壁とシート縁部により、折重ね状に折込まれたシート縁部に沿って、前記帯状壁に対応する上側縁部と前記襠壁に対応する中間縁部と前記シート縁部に対応する下側縁部を備えたギャザー部を構成すると共に、該ギャザー部をサンドイッチ状に固着した固着部を設けており、前記固着部以外の部分における襠壁と帯状壁を前記底壁と共に下方に展開した立体容器を構成して成ることを特徴とする容器。
【００１２】
本発明の実施形態は、前記容器本体に合成樹脂フィルムから成る蓋シートを重ね合わせ、前記蓋シートを前記容器本体のシート縁部に沿って溶着した溶着シール部を形成することにより、密閉容器を構成しており、前記溶着シール部により、前記サンドイッチ状の固着部を形成している。
【００１３】
本発明の別の実施形態は、前記折曲偏平体に合成樹脂フィルムから成る蓋シートを重ね合わせ、前記蓋シートを前記折曲偏平体のシート縁部に対して、該シート縁部に形成された注入口を除いて、該シート縁部に沿って溶着することにより溶着シール部を形成し、前記溶着シール部により、前記サンドイッチ状の固着部を形成しており、前記注入口から折曲偏平体に収容物を装填して前記襠壁と帯状壁を展開させることにより立体容器を形成し、該注入口を溶着することにより密閉容器を形成するように構成している。
【００１４】
本発明の好ましい実施形態において、前記蓋シートは、下層シートと上層シートを有する複数層シートのラミネートシートから構成され、下層シートは、容器本体のシート縁部の内側に位置する環状破断部を形成し、上層シートは、前記環状破断部の内側に位置して下層シートに剥離不能に固着された強着部と、前記環状破断部の外側に位置して下層シートに剥離可能に固着された弱着部を備えており、前記弱着部を介して上層シートを下層シートから剥離したとき、環状破断部の破断を介して下層シートの中央部を上層シートに追従させ、該下層シートの中央部に開口部を形成するように構成している。
【発明の効果】
【００１５】
本発明によれば、１枚の合成樹脂フィルムから成る本体シート１を折曲することにより容器本体１５を形成するものであるから、低コストで提供できる利点がある。
【００１６】
特に、本発明によれば、１枚の矩形状の本体シート１を４辺に沿って平行に山折線３ａ、３ｂを山折り状に折曲すると共に谷折線４ａ、４ｂを谷折り状に折曲することにより、コーナ部８の両側に位置してそれぞれ襠壁６と帯状壁５とシート縁部２ａ、２ｂを折重ね、該折重ね状に折込まれたシート縁部２ａ、２ｂにより、前記帯状壁５に対応する上側縁部１０ａ、１０ｂと前記襠壁６に対応する中間縁部１１ａ、１１ｂと下側縁部１２ａ、１２ｂを備えたギャザー部１３ａ、１３ｂを形成した折曲偏平体９を構成し、前記シート縁部２ａ、２ｂにより形成されたギャザー部１３、１３ｂの上側縁部１０ａ、１０ｂと中間縁部１１ａ、１１ｂと下側縁部１２ａ、１２ｂをサンドイッチ状に固着した固着部１４を形成することにより容器本体１５を構成しているので、前記底壁７を下方移動するだけで、前記固着部１４以外の部分における襠壁６と帯状壁５を下方に展開した立体容器１５ａを簡単容易に形成することができるという効果がある。そして、溶着等による固着部１４は、内容物が装填された個所から離れた立体容器１５ａのフランジ１６に位置して形成されるので、内容物の漏出の危険がない密閉シール性に優れた密閉容器１５ｂを提供することが可能となる。
【００１７】
しかも、ユーザが内容物を消費した後、密閉容器１５ｂを廃棄する際には、元の折曲偏平体９のように嵩の小さい偏平状として廃棄できるので、例えば、廃棄が禁止された野外での使用後に廃棄物としての容器を持ち帰る際にも、体積を小さくできる利点がある。
【図面の簡単な説明】
【００１８】
【図１】本発明に係る容器本体を形成するための本体シートの１例を示しており、（Ａ）は本体シートの折曲前の状態を示す斜視図、（Ｂ）は本体シートの折曲中の状態を示す斜視図である。
【図２】本体シートを折曲することにより形成した折曲偏平体の１例を示しており、（Ａ）は全体を示す斜視図、（Ｂ）はコーナ部のギャザー部を示す拡大斜視図である。
【図３】本発明の第１実施形態に関して、折曲偏平体に溶着等による固着部を形成した偏平な容器本体を示す斜視図である。
【図４】本発明の第１実施形態に関して、底壁と襠壁と帯状壁を展開した立体容器を示す斜視図である。
【図５】本発明の第１実施形態に関して、立体容器を蓋シートで密閉することにより形成した密閉容器を示す斜視図である。
【図６】本発明の第１実施形態に関して、立体容器の形成工程と密閉容器の形成工程を示しており、（Ａ）は容器本体を立体化する工程を示す断面図、（Ｂ）は立体容器を蓋シートにより密閉シールする工程を示す断面図である。
【図７】本発明の第２実施形態を示しており、（Ａ）は折曲偏平体を立体化することにより形成した立体容器と蓋シートを示す斜視図、（Ｂ）は立体容器を蓋シートで密閉することにより形成した密閉容器を示す斜視図である。
【図８】本発明の第３実施形態を示しており、（Ａ）は折曲偏平体を示す斜視図、（Ｂ）は折曲偏平体に蓋シートを設けることにより形成された注入口を備える偏平容器を示す斜視図、（Ｃ）は偏平容器に内容物を装填した後に封口シールすることにより形成した密閉容器を示す斜視図である。
【図９】本発明の付加実施形態を示しており、（Ａ）は蓋シートの上層シートを剥離することにより下層シートに開口部を形成した状態を示す斜視図、（Ｂ）は要部を拡大して示す断面図である。
【発明を実施するための形態】
【００１９】
以下図面に基づいて本発明の好ましい実施形態を詳述する。
【００２０】
＜第１実施形態＞
図１ないし図６に基づいて本発明の第１実施形態を説明する。
【００２１】
（容器本体を形成するための本体シート）
本発明は、１枚の合成樹脂フィルムから成る矩形状の本体シートにより容器本体を形成するものであり、本体シート１は、図１（Ａ）に破線で示すように、周囲にそれぞれ相互に平行する第１シート縁部２ａ、２ａと第２シート縁部２ｂ、２ｂを備えている。
【００２２】
本体シート１は、後述の溶着を可能とする熱可塑性の合成樹脂フィルムから成り、１層構造の単一フィルムでも、複数層構造の複合ラミネートフィルムでも良いが、気密性及び水密性に優れたガスバリヤ性の高いフィルムを使用することが好ましく、しかも、折曲加工を容易とする柔軟性なフィルムが好ましい。
【００２３】
本体シート１は、それぞれ、図１（Ａ）に鎖線で示すように、第１シート縁部２ａ、２ａに平行な第１山折線３ａ、３ａ及び第１谷折線４ａ、４ａと、第２シート縁部２ｂ、２ｂに平行な第２山折線３ｂ、３ｂ及び第２谷折線４ｂ、４ｂが設けられる。これらの山折線及び谷折線は、実際に本体シート１に罫線等のラインを示して形成する必要はなく、設計上、本体シート１の折曲のための折曲予定線として想定されたものであることを諒解されたい。
【００２４】
第１山折線３ａ、３ａは、第１シート縁部２ａ、２ａの内側に帯状壁５を介して平行に延び、第１谷折線４ａ、４ａは、第１山折線３ａ、３ａの内側に襠壁６を介して平行に延びる。同様に、第２山折線３ｂ、３ｂは、第２シート縁部２ｂ、２ｂの内側に帯状壁５を介して平行に延び、第２谷折線４ｂ、４ｂは、第２山折線３ｂ、３ｂの内側に襠壁６を介して平行に延びる。
【００２５】
これにより、本体シート１は、中央部に、前記第１谷折線４ａ、４ａ及び第２谷折線４ｂ、４ｂにより囲まれた底壁７を形成し、周囲の各コーナに、該コーナに臨んで交差する第１谷折線３ａ及び第２谷折線３ｂと第１シート縁部２ａ及び第２シート縁部２ｂにより囲まれたコーナ部８を形成する。
【００２６】
（本体シートの折曲工程と折曲偏平体）
本体シート１は、谷折線４ａ、４ｂに沿って谷折り状に折曲され、山折線３ａ、３ｂに沿って山折り状に折曲され、これにより、図２（Ａ）に示すような折曲偏平体９が形成される。従って、１枚の矩形所の本体シート１が４辺に沿って平行に折曲され、このような折曲は、本体シート１のシート縁部２ａ、２ｂに平行な全長にわたり行われる。
【００２７】
具体的には、図１（Ｂ）に示すように、第１谷折線４ａ、４ａを谷折り状に折曲し、第１山折線３ａ、３ａを山折り状に折曲する。これにより、山折線３ａと谷折線４ａに沿って折曲された帯状壁５と底壁７の間に襠壁６が折り込まれ、該襠壁６の両端部に位置する第２シート縁部２ｂ、２ｂも同様に折り込まれる。
【００２８】
次いで、この状態から前記と同様に、第２谷折線４ｂ、４ｂを谷折り状に折曲し、第２山折線３ｂ、３ｂを山折り状に折曲すると、該山折線３ｂと谷折線４ｂに沿って襠壁６が折り込まれると共に、該襠壁６の両端部に位置する第１シート縁部２ａ、２ａが折り込まれることにより、図２（Ａ）に示すような折曲偏平体９が形成される。
【００２９】
図２（Ｂ）に示すように、折曲偏平体９は、各コーナ部８の両側に位置してそれぞれ襠壁６と帯状壁５とシート縁部２ａ、２ｂを折重ね、該折重ね状に折込まれた第１シート縁部２ａと第２シート縁部２ｂにより、それぞれ前記帯状壁５に対応する上側縁部１０ａ、１０ｂと前記襠壁６に対応する中間縁部１１ａ、１１ｂと下側縁部１２ａ、１２ｂをほぼＺ形に折り込まれて重ね合わせられたギャザー部１３ａ、１３ｂが形成される。
【００３０】
（折曲偏平体の溶着工程と容器本体）
上述のように、折曲偏平体９は、各コーナ部８の両側部に位置してギャザー部１３ａ、１３ｂを形成しているので、これらのギャザー部１３ａ、１３ｂのそれぞれを構成する上側縁部１０ａ、１０ｂと中間縁部１１ａ、１１ｂと下側縁部１２ａ、１２ｂをサンドイッチ状に固着する固着部１４を設けることにより、図３に示すような容器本体１５が形成される。
【００３１】
前記ギャザー部１３ａ、１３ｂの固着部１４は、偏平なシート状とされた折曲偏平体９に対して超音波溶着や高周波溶着その他の溶着を行うことにより容易に形成することができ、これにより各ギャザー部１３ａ、１３ｂにおいて折曲重合された上側縁部１０ａ、１０ｂと中間縁部１１ａ、１１ｂと下側縁部１２ａ、１２ｂがそれぞれ一体結合される。
【００３２】
上記のようにして形成された容器本体１５は、図４に示すように、底壁７を下方に向けて移動させると、前記固着部１４によりギャザー部１３の展開を阻止した状態で、それ以外の部分における襠壁６と帯状壁５を下方に展開することにより、上部を開口する立体容器１５ａを形成し、該開口の周囲に前記シート縁部２ａ、２ｂにより構成されたフランジ１６を配置する。
【００３３】
図示のように、立体容器１５ａは、下方に展開された襠壁６からフランジ１６に向けて帯状壁５を傾斜させた状態で連設するトレーを形成し、コーナ部８の内側部分を下向き傾斜させることによりコーナ壁８ａを備える。
【００３４】
図示実施形態の場合、容器本体１５を展開することにより形成された立体容器１５ａは、浅底のトレーを図示しているが、山折線３ａ、３ｂ及び谷折線４ａ、４ｂの配置等により帯状壁５と襠壁６の幅を適宜設計することにより、深底の立体容器１５ａを形成することも可能である。
【００３５】
（蓋シートの溶着工程と密閉容器）
前記立体容器１５ａは、内容物を収容した後、図５に示すように、合成樹脂フィルムから成る蓋シート１７を上部開口に重ね合わせ、該蓋シート１７を前記フランジ１６に沿って溶着し、溶着シール部１８を形成することにより、密閉容器１５ｂを構成する。
【００３６】
蓋シート１７を構成する合成樹脂フィルムは、溶着を可能とする熱可塑性フィルムから成り、１層構造の単一フィルムでも、複数構造の複合ラミネートフィルムでも良いが、気密性及び水密性に優れたガスバリヤ性の高いフィルムを使用することが好ましい。
【００３７】
（装置の実施例）
図６は、折曲偏平体９から容器本体１５を形成すると共に、該容器本体１５を展開することにより立体容器１５ａを形成し、蓋シート１７を溶着することにより密閉容器１５ｂを形成するための工程を示している。
【００３８】
１枚の本体シート１を折曲することにより折曲偏平体９を形成する工程は、図示省略しているが、例えば、山折線３ａ、３ｂ及び谷折線４ａ、４ｂに沿う定規手段や、折曲のためのエアー吸引式のフィンガー手段等を備えた折曲成形装置により実施することができる。
【００３９】
そこで、折曲偏平体９は、図６（Ａ）に示すような下枠１９ａと上枠１９ｂを備えた展開装置１９に保持され、その状態から図示鎖線で示すように展開することにより立体容器１５ｂを形成する。
【００４０】
この際、下枠１９ａと上枠１９ｂに電極２０ａ、２０ｂを付設しておけば、上述のように折曲偏平体９のギャザー部１３に超音波溶着又は高周波溶着等の溶着を施すことにより上記固着部１４を形成することができる。
【００４１】
容器本体１５の展開は、図示の矢印Ｐ１で示すように上方からエアー等による圧力を加えても良く、反対に、矢印Ｐ２で示すように下方からエアーを吸引しても良い。何れの場合でも、これにより、図示鎖線で示すように、容器本体１５が展開され、立体容器１５ｂを形成するので、この状態で立体容器１５ｂに内容物を装填すれば良い。
【００４２】
内容物を装填した後、立体容器１５ｂは、図６（Ｂ）に示すように、蓋シート１７を重ね合わせられ、相互に電極を構成する下枠２１ａと上枠２１ｂを備えた施蓋装置２１に保持され、この状態で超音波溶着又は高周波溶着等の溶着を施すことにより上記の溶着シール部１８を形成され、密閉容器１５ｂを構成する。
【００４３】
＜第２実施形態＞
図７は、本発明の第２実施形態を示している。
【００４４】
上記第１実施形態においては、折曲偏平体９を形成した状態でギャザー部１３に溶着による固着部１４を形成して容器本体１５を構成し、該容器本体１５を展開することにより立体容器１５ａを構成した後、蓋シート１７を重ね合わせ溶着シール部１８により密閉することにより密閉容器１５ｂを構成している。従って、ギャザー部１３は、固着部１４と溶着シール部１８により二重に溶着される。
【００４５】
これに対して、図７に示す第２実施形態は、図７（Ａ）に示すように、折曲偏平体９のギャザー部１３に上記のような固着部１４を形成せず、折曲偏平体９のギャザー部１３を図示省略した保持装置により保持した状態で底壁７と襠壁６と帯状壁５を展開させ、立体容器１５ａを形成した状態で、内容物を装填した後、蓋シート１７を重ね合わせ、上記と同様の溶着シール部１８を形成することにより、図７（Ｂ）に示すように、密閉容器１５ｂを形成する。
【００４６】
従って、前記溶着シール部１８を形成したとき、結果的に、ギャザー部１３の固着部１４ａを同時に形成することができるので、上記第１実施形態のように、予め固着部１４を設ける必要がないという利点がある。
【００４７】
＜第３実施形態＞
図８は、本発明の第３実施形態を示している。
【００４８】
上記第１実施形態及び第２実施形態においては、立体容器１５ｂに内容物を装填した後に、蓋シート１７を溶着することにより密閉容器１５ｂを形成するように構成しているが、本発明は、図８に示す第３実施形態のように、折曲偏平体９に蓋シート１７を設けた後、内容物を装填することにより立体容器１５ａを形成し、その後、封口シールを施すことにより密閉容器１５ｂを形成するように構成しても良い。
【００４９】
第３実施形態の場合、図８（Ａ）に示すように、折曲偏平体９は、ギャザー部１３に上記のような固着部１４を形成せず、該折曲偏平体９に蓋シート１７を重ね合わせた後、該折曲偏平体９の３辺を構成するシート縁部２ａ、２ｂに対して、図８（Ｂ）に示すように、溶着シール部１８ａを設けられ、注入口２２を備えた偏平容器１５ｃを形成される。この溶着シール部１８ａにより、３辺のシート縁部２ａ、２ｂのギャザー部１３には、結果的に、固着部１４ｂが形成される。
【００５０】
この状態で、図示矢印Ｆで示すように、注入口２２から内容物を装填すると同時にエアー等で圧力を加えると、上述のように底壁７と襠壁６と帯状壁５を展開することにより偏平容器９ａが膨張されるので、その後、前記注入口２２に封口シール部１８ｂを形成することにより、密閉容器１５ｂが形成される。この場合も、封口シールされたシート縁部のギャザー部１３には、結果的に、固着部１４ｂが形成される。
【００５１】
＜付加実施形態＞
図９は、上記第１、第２、第３実施形態の蓋シート１７に関する付加実施形態を示している。
【００５２】
付加実施形態の場合、蓋シート１７は、下層シート２３と上層シート２４を有する複数層シートのラミネートシートから構成されており、下層シート２３は、容器本体１５のシート縁部２ａ、２ｂの内側に位置してミシン目その他から成る環状破断部２５を形成し、上層シート２４は、前記環状破断部２５の内側に位置して下層シート２３に剥離不能に固着された接着剤等から成る強着部２６ａと、前記環状破断部２５の外側に位置して下層シート２３に剥離可能に固着された接着剤等から成る弱着部２６ｂを備えている。
【００５３】
蓋シート１７は、上層シート２４の周縁から張り出した下層シート２３の周縁部２３ａを容器本体１５のフランジ１６に溶着することにより溶着シール部１８を形成し、内容物を装填した容器本体１５を密閉することにより、密閉容器１５ｂを形成する。
【００５４】
そこで、密閉容器１５ｂを開封する際は、ユーザが上層シート２４の周縁部２４ａを摘んで持ち上げると、弱着部２６ｂが剥離する反面、下層シート２３の中央部が強着部２６ａを介して上層シート２４に追従して引き上げられるので、環状破断部２５が破断され、図示のように、密閉容器１５ｂを好適に開口させる。
【００５５】
図例のように、下層シート２３は、複数フィルムによるラミネートフィルムにより構成することが可能であり、これにより、下層シート２３の周縁部２３ａにより容器本体１５のフランジ１６を保形できる利点がある。
【符号の説明】
【００５６】
１  本体シート
２ａ、２ｂ  シート縁部
３ａ、３ｂ  山折線
４ａ、４ｂ  谷折線
５  帯状壁
６  襠壁
７  底壁
８  コーナ部
９  折曲偏平体
１０  上側縁部
１１  中間縁部
１２  下側縁部
１３  ギャザー部
１４、１４ａ、１４ｂ  固着部
１５  容器本体
１５ａ  立体容器
１５ｂ  密閉容器
１５ｃ  偏平容器
１６  フランジ
１７  蓋シート
１８、１８ａ、１８ｂ  溶着シール部
２２  注入口
２３  下層シート
２４  上層シート
２５  環状破断部
【図１】
0005955512.tif 000002
【図２】
0005955512.tif 000003
【図３】
0005955512.tif 000004
【図４】
0005955512.tif 000005
【図５】
0005955512.tif 000006
【図６】
0005955512.tif 000007
【図７】
0005955512.tif 000008
【図８】
0005955512.tif 000009
【図９】
0005955512.tif 000010